(57)【特許請求の範囲】
【請求項１】
アジマス角の異なる記録再生速度が基準速度で用いる第１の磁気ヘッドと該第１の磁気ヘッドの記録再生速度よりも大きい速度で用いられる第２の磁気ヘッドをヘッドベースに配置するダブルアジマスヘッドにおいて、上記第１の磁気ヘッドに制御手段で用意された基準信号を印加し走行テープに検査用信号を記録する工程と、この工程で記録された信号を同磁気ヘッドで再生して再生信号のレベルと上記制御手段で用意された基準レベルとを比較することにより上記第１の磁気ヘッドの上記ヘッドベースへの組み付け正誤及び磁気ヘッド性能の良、不良をチェックする工程と、前記記録信号を上記第２の磁気ヘッドで再生して再生信号のレベルと上記基準レベルとの比較により上記第２の磁気ヘッドのヘッドベースへの組み付け正誤をチェックする工程とを備えることを特徴とする回転磁気ヘッドの検査方法。
【発明の詳細な説明】
【０００１】
【発明の属する技術分野】
本発明はＶＴＲ装置やＤＡＴ装置に用いる回転磁気ヘッドに関し、特に、回転ドラムに組み付けられる磁気ヘッドの適否を検査するための方法に関する。
【０００２】
【従来の技術】
周知のように、基準速度と２倍速での記録・再生を行うＶＴＲ装置やＤＡＴ装置の回転ドラムＸにおいては、図３（ａ）に示すような所謂”ダブルアジマスヘッド”を用いるが、この回転ドラムにはその直径方向に対向した２組のダブルアジマスヘッドが組み付けられる。即ち、図３（ｂ）の磁気ヘッドＡ及び磁気ヘッドＣは、各々基準速度と２倍速での記録・再生を行う第１チャンネル用記録・再生ヘッドであり、磁気ヘッドＢ及び磁気ヘッドＤは各々基準速度と２倍速での記録・再生を行う第２チャンネル用記録・再生ヘッドである。
【０００３】
このような、従来の回転磁気ヘッドの検査工程においては、図５に示すような方法により個別に磁気ヘッドＡ〜Ｄの適否を判定している。つまり、磁気テープを基準速度での走行状態におき（ステップＳａ）、磁気ヘッドＡで同磁気テープに基準信号を記録（ステップＳｂ）した後、検査装置を再生状態として、同磁気ヘッドＡで記録させた基準信号の再生（ステップＳｃ）を行って、同記録信号が基準レベルよりも高いか否かを判定（ステップＳｄ）し、基準レベルよりも低い場合には、警報ランプの点灯等の不良処理（ステップＳｅ）を行う。
【０００４】
ついで、磁気ヘッドＢ〜Ｄに対しても、同様の検査工程を繰り返し、全部の磁気ヘッドの性能が基準値を満たしているか否かがチェックされることになる。
【０００５】
ところで、これらの第１チャンネル用磁気ヘッドＡ，Ｃ及び第２チャンネル用磁気ヘッドＢ，Ｄは、図４に示すように、回転ドラムＸの表面ｘの垂線に対して＋θ，＋θ2，−θ2，＋θ1なるアジマス角をそれぞれ有するが、これらの第１チャンネル用磁気ヘッドＡ，Ｃ及び第２チャンネル用磁気ヘッドＢ，Ｄが誤って図３（ａ）に示すヘッドベース１に組み付けられると、期待するような機能が得られなくなる。
【０００６】
【発明が解決しようとする課題】
しかしながら、このような従来の検査方法によると、磁気ヘッドＡ〜Ｄ個々の性能から良品不良品を判別するのみで、磁気ヘッドＡ〜Ｄをヘッドベース１に誤って組み付けられているか否かは検査することができないといった不具合があった。
本発明の目的は、以上に述べたような従来の回転磁気ヘッドの検査方法の実状に鑑み、ヘッドベースへの組み付け状態の正誤判定ができる回転磁気ヘッドの検査方法を得るにある。
【０００７】
この目的を達成するため、本発明は、アジマス角の異なる記録再生速度が基準速度で用いる第１の磁気ヘッドと該第１の磁気ヘッドの記録再生速度よりも大きい速度で用いられる第２の磁気ヘッドをヘッドベースに配置するダブルアジマスヘッドにおいて、上記第１の磁気ヘッドに制御手段で用意された基準信号を印加し走行テープに検査用信号を記録する工程と、この工程で記録された信号を同磁気ヘッドで再生して再生信号のレベルと上記制御手段で用意された基準レベルとを比較することにより上記第１の磁気ヘッドの上記ヘッドベースへの組み付け正誤及び磁気ヘッド性能の良、不良をチェックする工程と、前記記録信号を上記第２の磁気ヘッドで再生して再生信号のレベルと上記基準レベルとの比較により上記第２の磁気ヘッドのヘッドベースへの組み付け正誤をチェックする工程とを備える回転磁気ヘッドの検査方法を提供するものである。
【０００８】
【発明の実施の形態】
以下、図１及び図２について本発明の実施例の詳細を説明する。
図１は本発明で用いる検査装置のブロック線図であり、ＣＰＵで構成される制御装置には、検査開始を行うスタートボタンＳＢからの信号及び検査される磁気ヘッドＡ〜Ｄからの再生信号が入力される。
【０００９】
そして、制御装置ＣＰＵはスタートボタンからの入力があった時、テープ駆動モータＭの回転を行い、指定された磁気ヘッドＡ〜Ｄに基準信号を印加する。また、同制御装置ＣＰＵは磁気テープへの記録を行った後、指定磁気ヘッドＡ〜Ｄによる再生を行い、再生信号のレベルをチェックし、同レベルが基準レベルよりも低い場合に判定表示器Ｈに不良磁気ヘッドであることを表示する。
【００１０】
図２は本発明の特徴である検査方法のフローチャートを示し、スタートボタンＳＢが押されると、制御装置ＣＰＵにより記録再生速度が基準速度で用いる磁気ヘッドＡに対応した走行速度で磁気テープが駆動（ステップＳ１）され、制御装置ＣＰＵで用意された基準信号が磁気ヘッドＡに印加され、同磁気ヘッドＡで磁気テープに基準信号が一定時間だけ記録（ステップＳ２）される。この後、磁気ヘッドＡが再生状態とされて記録信号が再生（ステップＳ３）される。磁気ヘッドＡの再生信号は制御装置ＣＰＵに入力され、同制御装置ＣＰＵで用意される基準レベルとの比較（ステップＳ４）により磁気ヘッドＡのヘッドベース１への組み付け正誤及び磁気ヘッド性能の良、不良をチェックされ、更に記録再生速度が２倍速で用いられる磁気ヘッドＣで磁気ヘッドＡによる記録信号の再生（ステップＳ５）が行われ、同再生信号が再び基準レベルと比較（ステップＳ６）され、磁気ヘッドＣのヘッドベース１への組み付け正誤がチェックされる。ステップＳ４で異常（基準レベルより再生信号が低い場合）がなければ磁気ヘッドＡの性能及び磁気ヘッドＡのヘッドベース１への組み付けは正常のものとされ、また、ステップＳ６で異常（基準レベルより再生信号が高い場合）がなければ磁気ヘッドＣのヘッドベース１への組み付け状態も正常のものとされる。更に、上記磁気ヘッドＡの時と同様にスタートボタンＳＢが押されると、制御装置ＣＰＵにより磁気ヘッドＣに対応した走行速度で磁気テープが駆動（ステップＳ１）され、制御装置ＣＰＵで用意された基準信号が磁気ヘッドＣに印加され、同磁気ヘッドＣで磁気テープに基準信号が一定時間だけ記録（ステップＳ２）される。この後、磁気ヘッドＣが再生状態とされて記録信号が再生（ステップＳ３）される。磁気ヘッドＣの再生信号は制御装置ＣＰＵに入力され、同制御装置ＣＰＵで用意される基準レベルと比較（ステップＳ４）され、異常がなければ、磁気ヘッドＣの性能も正常のものとして、磁気ヘッドＡ及び磁気ヘッドＣの検査を終了する。
【００１１】
なお、前述したステップＳ４での再生信号と基準レベルとの比較の際、例えば、再生信号が基準レベルよりも低い場合には、制御装置ＣＰＵから警報が発信され、判定表示器Ｈの警報ランプが点灯（ステップＳ７）されて、再生磁気ヘッドＡ，Ｃ個々の異常が警告されることになる。
【００１２】
また、前述したステップＳ６での再生信号と基準レベルとの比較の際、例えば、再生信号が基準レベルよりも高い場合には、制御装置ＣＰＵから警報が発信され、判定表示器Ｈの警報ランプが点灯（ステップＳ８）されて、再生磁気ヘッドＡ及び磁気ヘッドＣの組み付け状態の異常が警告されることになる。
【００１３】
また、前述した実施例では、ステップＳ４において磁気ヘッドＡの再生信号が制御装置ＣＰＵに入力された時点ですぐに基準レベルと比較される構成となっているが、制御装置ＣＰＵに入力された再生信号は、ステップＳ６の磁気ヘッドＣの再生信号と基準レベルとの比較の時点で、基準レベルと比較されても同じことである。
【００１４】
さらに、実際の検査工程では、前述した第１チャンネルの磁気ヘッドＡ，Ｃの次に、第２チャンネルの磁気ヘッドＢ，Ｄの検査が行われるが、これらの磁気ヘッドＢ，Ｄの検査工程は、前述した磁気ヘッドＡ，Ｃと全く同様のステップで行えばよい。
【００１５】
【発明の効果】
以上の説明から明らかなように、本発明によれば、記録再生速度が基準速度で用いる磁気ヘッドで記録した基準信号を、この磁気ヘッド及び基準記録再生速度よりも大きい速度で用いられる他の磁気ヘッドで再生して適否判定のデータとするから、各磁気ヘッド個々の性能の検査と、ヘッドベースへの組み付け状態の正誤判定とを同時にすることができるという効果がある。
【図面の簡単な説明】
【図１】本発明で用いる検査装置のブロック線図である。
【図２】本発明の検査方法のフローチャートである。
【図３】（ａ），（ｂ）は一般的なダブルアジマスヘッドの説明図である。
【図４】同ダブルアジマスヘッドの展開図である。
【図５】従来の検査方法のフローチャートである。
【符号の説明】
Ａ〜Ｄ    磁気ヘッド
Ｈ        判定表示器
Ｘ        回転ドラム
ＣＰＵ    制御装置
Ｓ１〜Ｓ８  工程
１        ヘッドベース
【図１】
0003572761.tif 000002
【図２】
0003572761.tif 000003
【図３】
0003572761.tif 000004
【図４】
0003572761.tif 000005
【図５】
0003572761.tif 000006